(57)【要約】【課題】和室を簡単に洋風に転換でき、転換作業が極めて容易に行えるフローリング風敷込み畳とその使用方法を提供する。【解決手段】四角形であり、ボード層４、断熱材層３を有する畳床２と、畳床２の表面と側面を覆うように取付けた、弾力性がありフローリング模様を施した表面シート８とからなり、高さが伝統的な畳Ｔの高さと同じフローリング風敷込み畳１である。伝統的な畳Ｔを取り除いて床板Ｂ上に敷き込めば、表面シート８にフローリング模様が施されているため、洋風の雰囲気に切換えることができる。そして、畳床２には断熱材層３があるので、保温性がフローリングより向上し、表面シート８は弾力性があるので、人が寝転んでも痛くないので、フローリング貼りより居住性が向上する。【選択図】図１
0003102407.tif 000002
【実用新案登録請求の範囲】
【請求項１】
四角形であり、ボード層と断熱材層を有する畳床と、
該畳床の表面と側面を覆うように取付けた、弾力性がありフローリング模様を施した表面シートとからなり、
高さが伝統的な畳の高さと同じである
ことを特徴とするフローリング風敷込み畳。
【考案の詳細な説明】
【技術分野】
【０００１】
本考案は、フローリング風敷込み畳とその使用方法に関する。
【背景技術】
【０００２】
日本の代表的な家屋は、和洋折衷が多いが、家族構成の変化や家財道具に合わせて、和室を洋風に変える要望も多々存する。
和室の構成は、根太の上に床板を貼り、その上面を敷居で四角形に区切ったものであり、敷居の高さは、床板に敷く畳の高さに合わせて約５〜６ｃｍである。
このような和室を洋間にするため、フローリング貼りにしようとすれば、座を上げる工事、具体的には元の床板の上に別の床板を置いて、約５〜６ｃｍほど嵩上げし、その上にフローリングを貼る工事が必要となる。
しかし、このような座を上げる工事は、手間も費用も時間も大変であり、簡単には行えない。また、いったんフローリング貼りとした洋風間を元の和室に戻すには、座上げした床板を取り外すため、施行時と同様の手間がかかり、簡単には行えない。
【０００３】
一方、フローリング等に設置する置き畳に関する従来技術がある（特許文献１）。
この従来技術は、畳表とクッション材とプラスチック段ボールと防滑材とを積層したものであり、洋間の床に置いて使用される。したがって、洋間のフローリング上に置いて、部分的に和風の畳部屋の雰囲気を演出することはできる。しかしながら、逆に、和室を洋間にすることはできない。
【０００４】
【特許文献１】特開平１１−１３１７６１号公報
【考案の開示】
【考案が解決しようとする課題】
【０００５】
本考案は上記事情に鑑み、和室を簡単に洋風に転換でき、転換作業が極めて容易に行えるフローリング風敷込み畳とその使用方法を提供することを目的とする。
【課題を解決するための手段】
【０００６】
第１考案のフローリング風敷込み畳は、四角形であり、ボード層と断熱材層を有する畳床と、該畳床の表面と側面を覆うように取付けた、弾力性がありフローリング模様を施した表面シートとからなり、高さが伝統的な畳の高さと同じであることを特徴とする。
【考案の効果】
【０００７】
第１考案のフローリング風敷込み畳は、伝統的な畳を取り除いて床板上に敷き込めば、表面シートにフローリング模様が施されているため、洋風の雰囲気に切換えることができる。そして、畳床には断熱材層があるので、保温性がフローリングより向上しており、しかも表面シートは弾力性があるので、人が寝転んでも痛くなく、フローリング貼りより居住性が向上する。
【考案を実施するための最良の形態】
【０００８】
つぎに、本考案の実施形態を図面に基づき説明する。
図１は本考案の一実施形態に係るフローリング風敷込み畳の一部破断斜視図、図２は同フローリング風敷込み畳の縦断面図、図３は本考案に係る２種類のフローリング風敷込み畳を示す斜視図、図４は本考案のフローリング風敷込み畳の使用方法の説明図である。
【０００９】
図１および図２において、１はフローリング風敷込み畳（以下、単に敷込み畳という）であり、主として、畳床２と表面シート８とから構成されている。
畳床２としては、とくに制限なく種々の構成のものを用いることができるが、ボード層と断熱材層を有するものが用いられる。
図示の畳床２は、断熱板３を２枚のボード４で挟んだものである。断熱板３としては、断熱性能を有するものであれば、どのようなものでもよいが、例えば発泡ポリエチレン等の多孔質材料で軽量の素材を使ったボード状のものが好ましい。ボード４は、前記断熱板３を挟んで保持し、全体の強度を負担する部材であれば、どのようなものでもよいが、例えば、木材チップなどを固めたボードなどが、保温性もあり、必要な強度も有し、かつ軽量なので好ましい。
前記したボード４、断熱板３、ボード４の積層状態において、更に表面側と裏面側に保護布５，５を敷き、それらを糸６で縫い合わせて、互いに固定され、畳床２が構成されている。
【００１０】
そして、前記畳床２には表面シート８が被覆され、畳床２の表面と側面を覆っている。表面シート８は、弾力性がある素材を用いたシートであれば、どのようなものであってもよい。このように弾力性があると、人が横になっても痛くないので、快適性が向上する。
また、この表面シート８の表面には、フローリング模様が印刷される。模様や色の種類はフローリング風であればよく、とくに制限されず、ストーン調（石調）やカーペット調のものも含まれる。これらの模様によって、フローリング風が演出できることにより、和室を洋風に転換することができる。
表面シート８の畳床２に対する固定は、２本足のクギ打ちや糸６による縫い付けなど任意の手法を取ってよい。
【００１１】
本考案の敷込み畳１は、大きさは任意であり、種々の寸法を採用できる。図３（Ａ）は大きい寸法を示し、（Ｂ）は小さい寸法を示しているが、この２種類に限られるわけではなく、より多くの寸法を採用してよい。また、形状は長四角でも真四角でもよい。
【００１２】
図４に基づき、敷込み畳の使用方法を説明する。
（Ａ）図は敷居Ｓの右側に畳Ｔを敷いている和室を示している。左側は敷いていた畳を取除いた状態で、床板Ｂが見えている。（Ｂ）図は、畳を除いた後の前記床板Ｂに本考案の敷込み畳１を敷き込んでいる状態を示している。この（Ｂ）図は床板Ｂ上の一部に敷込み畳１を置いた状態であるが、全面的に敷き込めば完成する。このようにして敷込み畳１が敷かれると、その表面がフローリング模様であるため、洋風の雰囲気を演出することができる。
上記のように、座を上げる工事をする必要なく、畳敷きの和室をフローリング貼りの洋間のように見せることができる。また、洋間風が飽きたときなどに、元の畳敷きに戻すのも簡単に行うことができる。
【００１３】
つぎに、本考案の敷込み畳１の特徴を説明する。
（１）本来のフローリング貼りと違って、敷込み畳１は１枚１枚が分かれているので、修理したいとき等にも傷が付いたもののみを補修交換すればよい。よって、子供部屋などのように傷付けやすい部屋に好適である。
（２）フローリング貼りと異なり、床板から簡単にはがし取れるので、交換作業が簡単であり、シロアリの早期発見もしやすい。
（３）伝統的な畳と比べると、表面シート８はいぐさ製の畳表より耐久性に優れ、カビが発生しにくく、菌や虫の繁殖もしにくく清潔である。また、モップ等を用いた掃除も容易である。
（４）畳床２には、断熱材層３が入っているので、フローリング貼りより、保温性に優れ、同時に防音性も備えるので、２階の物音が１階に響くこともない。
（５）表面シート８は弾力性を有しているので、人がその上で横になっても痛くなく、快適に過ごせる。
（６）表面シート８の色や模様を多種類用意しておけば、部屋の模様替えを自由に行える。
（７）高さ（厚さ）が伝統的な畳Ｔと同じなので、畳Ｔとの併用が可能であり、たんすを置く場所のみに使用するとか、中敷（真中に敷く畳）のみ伝統的な畳で、その周りをフローリング調にするような配列の自由度も高い。
（８）畳との入れ替えはすぐ出来るので、何日も部屋が使えない等の不便がない。
（９）床を汚したくない店舗等でも、敷込み畳１を敷くだけで床を保護することができる。
【図面の簡単な説明】
【００１４】
【図１】本考案の一実施形態に係るフローリング風敷込み畳の一部破断斜視図である。
【図２】同フローリング風敷込み畳の縦断面図である。
【図３】本考案に係る２種類のフローリング風敷込み畳を示す斜視図である。
【図４】本考案のフローリング風敷込み畳の使用方法の説明図である。
【符号の説明】
【００１５】
１    フローリング風敷込み畳
２    畳床
３    断熱材層
４    ボード
８    表面シート
【図１】
0003102407.tif 000003
【図２】
0003102407.tif 000004
【図３】
0003102407.tif 000005
【図４】
0003102407.tif 000006
【手続補正書】
【提出日】平成16年1月30日(2004.1.30)
【手続補正１】
【補正対象書類名】実用新案登録請求の範囲
【補正対象項目名】全文
【補正方法】変更
【補正の内容】
【実用新案登録請求の範囲】
【請求項１】
四角形であり、ボード層と断熱材層を有する畳床と、
該畳床の表面と側面を覆うように取付けた、弾力性がありフローリング模様を施した表面シートとからなり、
高さが畳の高さと同じである
ことを特徴とするフローリング風敷込み畳。
【手続補正２】
【補正対象書類名】明細書
【補正対象項目名】全文
【補正方法】変更
【補正の内容】
【考案の詳細な説明】
【技術分野】
【０００１】
本考案は、フローリング風敷込み畳とその使用方法に関する。
【背景技術】
【０００２】
日本の代表的な家屋は、和洋折衷が多いが、家族構成の変化や家財道具に合わせて、和室を洋風に変える要望も多々存する。
和室の構成は、根太の上に床板を貼り、その上面を敷居で四角形に区切ったものであり、敷居の高さは、床板に敷く畳の高さに合わせて約５〜６ｃｍである。
このような和室を洋間にするため、フローリング貼りにしようとすれば、座を上げる工事、具体的には元の床板の上に別の床板を置いて、約５〜６ｃｍほど嵩上げし、その上にフローリングを貼る工事が必要となる。
しかし、このような座を上げる工事は、手間も費用も時間も大変であり、簡単には行えない。また、いったんフローリング貼りとした洋風間を元の和室に戻すには、座上げした床板を取り外すため、施行時と同様の手間がかかり、簡単には行えない。
【０００３】
一方、フローリング等に設置する置き畳に関する従来技術がある（特許文献１）。
この従来技術は、畳表とクッション材とプラスチック段ボールと防滑材とを積層したものであり、洋間の床に置いて使用される。したがって、洋間のフローリング上に置いて、部分的に和風の畳部屋の雰囲気を演出することはできる。しかしながら、逆に、和室を洋間にすることはできない。
【０００４】
【特許文献１】特開平１１−１３１７６１号公報
【考案の開示】
【考案が解決しようとする課題】
【０００５】
本考案は上記事情に鑑み、和室を簡単に洋風に転換でき、転換作業が極めて容易に行えるフローリング風敷込み畳とその使用方法を提供することを目的とする。
【課題を解決するための手段】
【０００６】
第１考案のフローリング風敷込み畳は、四角形であり、ボード層と断熱材層を有する畳床と、該畳床の表面と側面を覆うように取付けた、弾力性がありフローリング模様を施した表面シートとからなり、高さが畳の高さと同じであることを特徴とする。
【考案の効果】
【０００７】
第１考案のフローリング風敷込み畳は、伝統的な畳を取り除いて床板上に敷き込めば、表面シートにフローリング模様が施されているため、洋風の雰囲気に切換えることができる。そして、畳床には断熱材層があるので、保温性がフローリングより向上しており、しかも表面シートは弾力性があるので、人が寝転んでも痛くなく、フローリング貼りより居住性が向上する。
【考案を実施するための最良の形態】
【０００８】
つぎに、本考案の実施形態を図面に基づき説明する。
図１は本考案の一実施形態に係るフローリング風敷込み畳の一部破断斜視図、図２は同フローリング風敷込み畳の縦断面図、図３は本考案に係る２種類のフローリング風敷込み畳を示す斜視図、図４は本考案のフローリング風敷込み畳の使用方法の説明図である。
【０００９】
図１および図２において、１はフローリング風敷込み畳（以下、単に敷込み畳という）であり、主として、畳床２と表面シート８とから構成されている。
畳床２としては、とくに制限なく種々の構成のものを用いることができるが、ボード層と断熱材層を有するものが用いられる。
図示の畳床２は、断熱板３を２枚のボード４で挟んだものである。断熱板３としては、断熱性能を有するものであれば、どのようなものでもよいが、例えば発泡ポリエチレン等の多孔質材料で軽量の素材を使ったボード状のものが好ましい。ボード４は、前記断熱板３を挟んで保持し、全体の強度を負担する部材であれば、どのようなものでもよいが、例えば、木材チップなどを固めたボードなどが、保温性もあり、必要な強度も有し、かつ軽量なので好ましい。
前記したボード４、断熱板３、ボード４の積層状態において、更に表面側と裏面側に保護布５，５を敷き、それらを糸６で縫い合わせて、互いに固定され、畳床２が構成されている。
【００１０】
そして、前記畳床２には表面シート８が被覆され、畳床２の表面と側面を覆っている。表面シート８は、弾力性がある素材を用いたシートであれば、どのようなものであってもよい。このように弾力性があると、人が横になっても痛くないので、快適性が向上する。
また、この表面シート８の表面には、フローリング模様が印刷される。模様や色の種類はフローリング風であればよく、とくに制限されず、ストーン調（石調）やカーペット調のものも含まれる。これらの模様によって、フローリング風が演出できることにより、和室を洋風に転換することができる。
表面シート８の畳床２に対する固定は、２本足のクギ打ちや糸６による縫い付けなど任意の手法を取ってよい。
【００１１】
本考案の敷込み畳１は、大きさは任意であり、種々の寸法を採用できる。図３（Ａ）は大きい寸法を示し、（Ｂ）は小さい寸法を示しているが、この２種類に限られるわけではなく、より多くの寸法を採用してよい。また、形状は長四角でも真四角でもよい。
【００１２】
図４に基づき、敷込み畳の使用方法を説明する。
（Ａ）図は敷居Ｓの右側に畳Ｔを敷いている和室を示している。左側は敷いていた畳を取除いた状態で、床板Ｂが見えている。（Ｂ）図は、畳を除いた後の前記床板Ｂに本考案の敷込み畳１を敷き込んでいる状態を示している。この（Ｂ）図は床板Ｂ上の一部に敷込み畳１を置いた状態であるが、全面的に敷き込めば完成する。このようにして敷込み畳１が敷かれると、その表面がフローリング模様であるため、洋風の雰囲気を演出することができる。
上記のように、座を上げる工事をする必要なく、畳敷きの和室をフローリング貼りの洋間のように見せることができる。また、洋間風が飽きたときなどに、元の畳敷きに戻すのも簡単に行うことができる。
【００１３】
つぎに、本考案の敷込み畳１の特徴を説明する。
（１）本来のフローリング貼りと違って、敷込み畳１は１枚１枚が分かれているので、修理したいとき等にも傷が付いたもののみを補修交換すればよい。よって、子供部屋などのように傷付けやすい部屋に好適である。
（２）フローリング貼りと異なり、床板から簡単にはがし取れるので、交換作業が簡単であり、シロアリの早期発見もしやすい。
（３）畳と比べると、表面シート８はいぐさ製の畳表より耐久性に優れ、カビが発生しにくく、菌や虫の繁殖もしにくく清潔である。また、モップ等を用いた掃除も容易である。
（４）畳床２には、断熱材層３が入っているので、フローリング貼りより、保温性に優れ、同時に防音性も備えるので、２階の物音が１階に響くこともない。
（５）表面シート８は弾力性を有しているので、人がその上で横になっても痛くなく、快適に過ごせる。
（６）表面シート８の色や模様を多種類用意しておけば、部屋の模様替えを自由に行える。
（７）高さ（厚さ）が畳Ｔと同じなので、畳Ｔとの併用が可能であり、たんすを置く場所のみに使用するとか、中敷（真中に敷く畳）のみ伝統的な畳で、その周りをフローリング調にするような配列の自由度も高い。
（８）畳との入れ替えはすぐ出来るので、何日も部屋が使えない等の不便がない。
（９）床を汚したくない店舗等でも、敷込み畳１を敷くだけで床を保護することができる。
【図面の簡単な説明】
【００１４】
【図１】本考案の一実施形態に係るフローリング風敷込み畳の一部破断斜視図である。
【図２】同フローリング風敷込み畳の縦断面図である。
【図３】本考案に係る２種類のフローリング風敷込み畳を示す斜視図である。
【図４】本考案のフローリング風敷込み畳の使用方法の説明図である。
【符号の説明】
【００１５】
１    フローリング風敷込み畳
２    畳床
３    断熱材層
４    ボード
８    表面シート